(57)【特許請求の範囲】
【請求項１】
袋状容器の開口縁の内側に密着嵌合される略環状の開口保持具本体と、
この開口保持具本体に開口方向に弾性付勢力を付与されて回動自在に軸支されこの開口保持具本体の上面開口面を開閉する蓋体と
を備え、
前記開口保持具本体は、袋状容器の開口縁の内側に密着嵌合されるように外周長が袋状容器の開口縁の内周長と略同一の長さに形成された嵌合筒部を有し、この嵌合筒部の開口縁には固定摘み部がこの開口保持具本体の開口縁とほぼ同一高さに突設形成され、この固定摘み部に対向してこの固定摘み部の上側に弾性復元力を有する変形部を介して前記蓋体に係脱自在に係合される押圧摘み部とを設け、
前記押圧摘み部は前記蓋体に係合する先端部は前記固定摘み部側に弾性復元力を有し、
前記押圧摘み部を復元力に抗して変形させると前記蓋体との係合が解かれることを特徴とした袋状容器の蓋付き開口保持具。
【請求項２】
蓋体には、開口保持具本体の内周面に嵌合接触する環状突縁部を形成したことを特徴とした請求項１記載の袋状容器の蓋付き開口保持具。
【請求項３】
開口保持具本体は、袋状容器に嵌合される嵌合筒部を上面開口面側より下面開口縁側に向って径小に形成したことを特徴とした請求項１または２記載の袋状容器の蓋付き開口保持具。
【請求項４】
開口保持具本体は、嵌合筒部の外周面に滑り止め部を形成したことを特徴とする請求項１ないし３のいずれかに記載の袋状容器の開口保持具。
【請求項５】
開口保持具本体は、嵌合筒部にこの嵌合筒部が内側に向って変形可能な撓み部を形成する周方向の切り溝を設けたことを特徴とする請求項１ないし４のいずれかに記載の袋状容器の蓋付き開口保持具。
【請求項６】
開口保持具本体は、袋状容器に嵌合密着される略環状の嵌合筒部と、この嵌合筒部の上面開口面の開口縁に沿って外方に向って突出した環状縁部とを有し、
蓋体は、前記開口保持具本体の環状縁部に密接する環状突縁部を形成した
ことを特徴とした請求項１、請求項３ないし５のいずれかに記載の袋状容器の蓋付き開口保持具。
【請求項７】
蓋体には開口保持具本体の開口縁に嵌合される環状の嵌合突部を形成し、
前記開口保持具本体の開口縁の内周面と蓋体の嵌合突部の外周面との少なくともいずれか一方に前記開口保持具本体の開口縁を密閉するパッキンを設けた
ことを特徴とした請求項１、請求項３ないし６のいずれかに記載の袋状容器の蓋付き開口保持具。
【請求項８】
開口保持具本体は、嵌合筒部に周方向に間隔をもって下方に向って支持脚部を突設したことを特徴とする請求項１ないし７のいずれかに記載の袋状容器の開口保持具。
【発明の詳細な説明】
【０００１】
【発明の属する技術分野】
本発明は、例えばウェットティッシュ、清浄綿、菓子類などを収納した袋状容器に開口縁に嵌着する袋状容器の蓋付き開口保持具に関する。
【０００２】
【従来の技術】
従来、例えばウェットティッシュ、清浄綿などを収納した袋状容器は開封した状態では、開口部は偏平状になって閉じられた状態になっており、被収納物を取り出したり、被収納物を収納する際には開口部を拡げなくてはならず、被収納物の出し入れの作業が煩雑であった。
【０００３】
また、袋状容器の開封された開口部はそのままでは封止できず、クリップなどで袋状容器に開口部を封止しなくてはならなかった。
【０００４】
さらに、袋状容器の内面に相対して形成した凹溝状係合部と突起条係合部とを係合して封止するファスナーが設けられている袋状容器も用いられているが、ファスナーの凹溝状係合部と突起条係合部とを係合する作業も簡単にできない問題があった。
【０００５】
【発明が解決しようとする課題】
従来の袋状の容器は、開口部は偏平状になって閉じられた状態のため、被収納物の出し入れに際しては、開口部を拡げた状態に保持しなくてはならず、被収納物の出し入れ作業が煩雑なため、被収納物の出し入れが容易にできるように開口部が開口した状態に保持できる袋状容器が要求されていた。
【０００６】
本発明は上記問題点に鑑みなされたもので、蓋の開閉が容易で、袋状容器の開口縁が開口された状態に保持されるとともに被収納物の出し入れが容易にでき、閉塞状態では密閉性が保持できるようにした袋状容器の蓋付き開口保持具を提供するものである。
【０００７】
【課題を解決するための手段】
請求項１記載の発明の袋状容器の蓋付き開口保持具は、袋状容器の開口縁の内側に密着嵌合される略環状の開口保持具本体と、この開口保持具本体に開口方向に弾性付勢力を付与されて回動自在に軸支されこの開口保持具本体の上面開口面を開閉する蓋体とを備え、前記開口保持具本体は、袋状容器の開口縁の内側に密着嵌合されるように外周長が袋状容器の開口縁の内周長と略同一の長さに形成された嵌合筒部を有し、この嵌合筒部の開口縁には固定摘み部がこの開口保持具本体の開口縁とほぼ同一高さに突設形成され、この固定摘み部に対向してこの固定摘み部の上側に弾性復元力を有する変形部を介して前記蓋体に係脱自在に係合される押圧摘み部とを設け、前記押圧摘み部は前記蓋体に係合する先端部は前記固定摘み部側に弾性復元力を有し、前記押圧摘み部を復元力に抗して変形させると前記蓋体との係合が解かれるものである。
【０００８】
そして、袋状容器の開口部に開口保持具本体を嵌着することにより、蓋体の開放状態で開口部が開口した状態に保持でき、被収納物の出し入れが容易にできるとともに、そのまま蓋体にて袋状容器の開口部を閉止でき、また、袋状容器の開口縁に開口保持具本体を嵌合した状態で、固定摘み部と押圧摘み部とを挟むように摘むと、押圧摘み部が変形して蓋体との係合が外れ、蓋体は弾性付勢力で開き、開放状態が保持され、収納された内容物の取出しが容易にでき、また、蓋体を閉じると押圧摘み部が復元力で復帰して蓋体に係合して蓋体の閉塞状態が保持できる。
【０００９】
請求項２記載の発明の袋状容器の蓋付き開口保持具は、請求項１記載の袋状容器の蓋付き開口保持具において、蓋体には、開口保持具本体の内周面に嵌合接触する環状突縁部を形成したものである。
【００１０】
そして、蓋体は閉塞時に環状突縁部が開口保持具本体の内周面に密接され、袋状容器内に異物が入りにくく、アルコールなど揮発性液を含浸した清浄綿などを収納した袋状容器においては、アルコールなどが蒸発することを防止できる。
【００１１】
請求項３記載の発明の袋状容器の蓋付き開口保持具は、請求項１または２記載の袋状容器の蓋付き開口保持具において、開口保持具本体は、袋状容器に嵌合される嵌合筒部を上面開口面側より下面開口縁側に向って径小に形成したものである。
【００１２】
そして、開口保持具本体は、袋状容器に嵌合される嵌合筒部は上面開口面側より下面開口縁側に向って径小に形成されているため、下側開口縁側が細い略逆三角台形状となり、袋状容器の上面開口部に容易に差込み嵌合でき、また、袋状容器の上面開口縁の内周長さと開口保持具本体の外周長さが多少異なっていても開口保持具本体を袋状容器に装着できる。
【００１３】
請求項４記載の発明の袋状容器の蓋付き開口保持具は、請求項１ないし３のいずれかに記載の袋状容器の蓋付き開口保持具において、開口保持具本体は、嵌合筒部の外周面に滑り止め部を形成したものである。
【００１４】
そして、開口保持具本体の嵌合筒部の外周面に形成した滑り止め部が袋状容器の内面に圧着され、開口保持具本体は抜け外れることがなく、確実に嵌着された状態に保持される。
【００１５】
請求項５記載の発明の袋状容器の蓋付き開口保持具は、請求項１ないし４のいずれかに記載の袋状容器の蓋付き開口保持具において、開口保持具本体は、嵌合筒部にこの嵌合筒部が内側に向って変形可能な撓み部を形成する周方向の切り溝を設けたものである。
【００１６】
そして、開口保持具本体は、切り溝にて形成された撓み部を内方に撓ませ、開口保持具本体の外形形状を小さくすることにより、開口保持具本体は袋状容器の開口部の内側に容易に嵌合でき、この開口保持具本体を袋状容器の開口部に嵌合し弾性復元力を利用して復元させることにより、開口保持具本体の外周面は袋状容器の内面に密着されて袋状容器の開口部に嵌着され、特に袋状容器の開口部の面積に比して開口保持具本体が大きい場合でも容易に嵌合できる。
【００１７】
請求項６記載の発明の袋状容器の蓋付き開口保持具は、請求項１、請求項３ないし５のいずれかに記載の袋状容器の蓋付き開口保持具において、開口保持具本体は、袋状容器に嵌合密着される略環状の嵌合筒部と、この嵌合筒部の上面開口面の開口縁に沿って外方に向って突出した環状縁部とを有し、蓋体は、前記開口保持具本体の環状縁部に密接する環状突縁部を形成したものである。
【００１８】
そして、蓋体は閉塞時に環状突縁部が開口保持具本体の環状縁部に密接され、袋状容器内に異物が入りにくく、アルコールなど揮発性液を含浸した清浄綿などを収納した袋状容器においては、アルコールなどが蒸発することが防止できる。
【００１９】
請求項７記載の発明の袋状容器の蓋付き開口保持具は、請求項１、請求項３ないし６のいずれかに記載の袋状容器の蓋付き開口保持具において、蓋体には開口保持具本体の開口縁に嵌合される環状の嵌合突部を形成し、前記開口保持具本体の開口縁の内周面と蓋体の嵌合突部の外周面との少なくともいずれか一方に前記開口保持具本体の開口縁を密閉するパッキンを設けたものである。
【００２０】
そして、蓋体の閉塞時には、開口保持具本体の開口縁と蓋体の嵌合突部の外周面との間にパッキンが介在され、開口保持具本体と蓋体との位置ずれがなく、開口保持具本体の開口縁と蓋体による密閉性が高められる。
【００２１】
請求項８記載の発明の袋状容器の蓋付き開口保持具は、請求項１ないし７のいずれかに記載の袋状容器の蓋付き開口保持具において、開口保持具本体は、嵌合筒部に周方向に間隔をもって下方に向って支持脚部を突設したものである。
【００２２】
そして、袋状容器の開口部に開口保持具本体を嵌着することにより、複数個所の支持脚部が支えとなって袋状容器は開口部を上方にした状態に保持でき、袋状容器を手で支えることなく被収納物を容易に出し入れできる。
【００２３】
【発明の実施の形態】
本発明の袋状容器の開口部を開いた状態に保持する蓋付き開口保持具の一実施の形態を図１ないし図５に基づいて説明する。
【００２４】
図１、図２及び図４に示すように、合成樹脂シート、フィルムなどで成型された袋状容器１の開口縁２の内側に嵌合される開口保持具本体３はＰＰ樹脂、ＰＥ樹脂、合成ゴムなどの樹脂またはばね板の金属板など弾性復元力を有する可撓性材質で上面及び下面に開口した円形環状に成型されている。この開口保持具本体３の嵌合筒部４の外周長は前記袋状容器１の開口縁２の内側に密着嵌合されるように、この袋状容器１の開口縁２の内周長と略同一長さに形成されている。また、この開口保持具本体３の嵌合筒部４の開口縁５には拡径段部にて拡径開口縁5aが形成されている。
【００２５】
そして、この開口保持具本体３の嵌合筒部４には開口縁５に近接して内方に向って変形可能な撓み部６を形成する周方向の１つまたは複数の切り溝７が設けられている。
【００２６】
また、開口保持具本体３は、袋状容器１に嵌合される嵌合筒部４を上面開口面側より下面開口縁側に向って径小に形成している。
【００２７】
さらに、前記開口保持具本体３の嵌合筒部４の外周面には、袋状容器１の内面に圧着する環形の突起状の滑り止め部８が上下に１ないし５つ程度の複数条に形成されている。
【００２８】
また、前記開口保持具本体３の拡径開口縁5aには平面からみて略三角形状の突出部5bが形成され、この突出部5bには、開口保持具本体３の半径方向の延長線上に切り欠き部5cが形成され、この切り欠き部5cに相対して形成した軸孔に蓋体10の一側部から突設した軸支部12の軸が回動自在に軸支されている。
【００２９】
また、図３及び図５に示すように、前記前記開口保持具本体３の突出部5bに形成した切り欠き部5cには前記蓋体10の軸支部12の内側に位置して軸5dが設けられ、この軸5dに巻装した巻きばね15の一端側15aは前記蓋体10の内面に、他端側15bは前記開口保持具本体３に係止され、この蓋体10は巻きばね15にて開放方向に弾性付勢力を付与されている。
【００３０】
なお、前記蓋体10は前記開口保持具本体３の材質とは別の材質、例えば硬質の合成樹脂などで成型して保形性が高められている。
【００３１】
そして、図３及び図５に示すように、前記開口保持具本体３の開口縁５の前記蓋体10との軸支位置と対向する他側部には固定摘み部16が一体に突設形成され、この固定摘み部16は前記開口保持具本体３の開口縁５とほぼ同一高さ位置に突設されている。この固定摘み部16に対向してこの固定摘み部16の上側に少許の間隙をもって弾性復元力を有する変形部18を介して前記蓋体10に係脱自在に係合される押圧摘み部17が設けられている。そして、この押圧摘み部17は前記蓋体10に係合する先端部が変形部18により前記固定摘み部16側に弾性復元力を有し、この押圧摘み部17を弾性復元力に抗して変形させると前記蓋体10との係合が解かれる。
【００３２】
この押圧摘み部17には前記開口保持具本体３の上面開口縁５より内側に突出する係合部19が設けられ、この係合部19は前記蓋体10の軸支部12に対向する他側部に形成した係止部20に係脱自在に係止されるようになっている。
【００３３】
また、前記蓋体10には、開口保持具本体３の内周面に嵌合接触する環状突縁部21が形成されている。
【００３４】
次にこの実施の形態の作用を説明する。
【００３５】
まず、袋状容器１の開口縁２に開口保持具本体３を嵌合するときには、開口保持具本体３の切り溝７にて形成された撓み部６を内方に押し込んで撓ませ、開口保持具本体３の嵌合筒部４の外形形状を小さくし、この外周長が短くなったままの状態で開口保持具本体３を袋状容器１の開口縁２の内側に嵌合する。
【００３６】
このとき、開口保持具本体３は、袋状容器１に嵌合される嵌合筒部４は上面開口面側より下面開口縁側に向って径小に形成されているため、下側開口縁側が細い略逆三角台形状となり、袋状容器１の上面開口部に容易に差込み嵌合でき、また、袋状容器１の上面開口縁の内周長さと開口保持具本体３の外周長さが多少異なっていても開口保持具本体３を袋状容器１に装着できる。
【００３７】
そして、この開口保持具本体３を袋状容器１の開口縁２に嵌合した状態で、撓み部６の弾性復元力を利用して外方に向かって復元させることにより、開口保持具本体３の嵌合筒部４の外周面は袋状容器１の開口縁２部の内面に密着されて開口部に嵌着され、袋状容器１は開口縁２が開口された状態に保持され、袋状容器１には開口部から容易に被収納物を出し入れできる。
【００３８】
また、袋状容器１の開口部に嵌着された開口保持具本体３は外周面に形成された突起状の滑り止め部８が袋状容器１の内面に圧着され、開口保持具本体３は袋状容器１から抜け外れることなく、嵌着された状態に保持される。
【００３９】
さらに、図２及び図３に示すように、この開口保持具本体３は蓋体10が開閉自在に取付けられ、この蓋体10は開口保持具本体３の開口縁５に設けた押圧摘み部17の係合部19と蓋体10の係止部20との係合で蓋体10は巻きばね15の弾性付勢力に抗して開口保持具本体３の上面開口面を閉塞した状態に保持される。
【００４０】
また、蓋体10は閉塞時に環状突縁部21が開口保持具本体３の内周面に密接され、袋状容器１内に異物が入りにくく、アルコールなど揮発性液を含浸した清浄綿などを収納した袋状容器１において、アルコールなどが蒸発することを防止できる。
【００４１】
そして、蓋体10を開くときには、固定摘み部16と押圧摘み部17とを指で挟んで押圧摘み部17を押し下げると、押圧摘み部17は固定摘み部16と連結した変形部18部の弾性復元力に抗して下方に変形傾斜し、この押圧摘み部17の係合部19は上方に傾斜し、蓋体10の係止部20との係合が解かれ、蓋体10は巻きばね15の付勢力で軸を中心として回動し、図４及び図５に示すように、前記開口保持具本体３の開口縁５は開口される。
【００４２】
また、開いている蓋体10を閉じるときには、蓋体10を巻きばね15に抗して閉じ方向に押し付けると、蓋体10は軸を中心として回動し、蓋体10の係止部20は押圧摘み部17の係合部19を弾性復元力に抗して押し付け、押圧摘み部17の係合部19は下方に傾斜し、蓋体10の係止部20が押圧摘み部17の係合部19との係合が外れると、押圧摘み部17の係合部19は上方に弾性復元力で復帰し、押圧摘み部17の係合部19は蓋体10の係止部20に係合し、蓋体10は閉じた状態に保持される。
【００４３】
このように、押圧摘み部17の係合部19と蓋体10の係止部20との係脱により蓋体10を開閉でき、袋状容器１の開口縁２に開口保持具本体３を嵌着することにより、袋状容器１は上面開口部を開口した状態に保持して被収納物の出し入れができるとともに、そのまま蓋体10にて開口縁５を閉止できる。
【００４４】
なお、開口保持具本体３の切り溝７を上面開口縁５より下側の嵌合筒部４に形成し、この開口保持具本体３を袋状容器１の開口部に嵌合した状態で、袋状容器１に開口保持具本体３を押し込み、切り溝７の部分が袋状容器１にて覆われるようにすることによって袋状容器１の気密性を保持できる。
【００４５】
次に、他の実施の形態を図６ないし図９に基づいて説明する。
【００４６】
図６に示すように、合成樹脂シート、フィルムなどで成型された袋状容器１の開口縁２の内側に嵌合される開口保持具本体３はＰＰ樹脂、ＰＥ樹脂、合成ゴムなどの樹脂またはばね板の金属板など弾性復元力を有する可撓性材質で上面及び下面に開口した円形環状に成型されている。この開口保持具本体３の嵌合筒部４の外周長は前記袋状容器１の開口縁２の内側に密着嵌合されるように、この袋状容器１の開口縁２の内周長と略同一長さに形成されている。また、この開口保持具本体３の嵌合筒部４の開口縁５には拡径段部にて拡径開口縁5aが形成されている。
【００４７】
そして、この開口保持具本体３の嵌合筒部４には開口縁５に近接して内方に向って変形可能な撓み部６を形成する周方向の１つまたは複数の切り溝７が設けられている。
【００４８】
さらに、前記開口保持具本体３の嵌合筒部４には袋状容器１の内面に圧着する環形の突起状の滑り止め部８が上下に１ないし５つ程度の複数条に形成されている。
【００４９】
また、蓋体10はヒンジ11によって開閉自在に取付けられている。このヒンジ11は、蓋体10の一側部から突設した一対の軸支片12aの軸孔と前記開口保持具本体３の拡径開口縁5aの一側部に突設した一対の支持片13の軸孔とに軸支した軸14にて構成され、この軸14にて蓋体10を回動自在に支持している。なお、前記蓋体10は前記開口保持具本体３の材質とは別の材質、例えば硬質の合成樹脂などで成型して保形性が高められている。
【００５０】
そして、前記ヒンジ11の軸14に巻装した巻きばね15の一端側は前記蓋体10に、他端側は前記開口保持具本体３に係止され、この蓋体10は巻きばね15にて開放方向に弾性付勢力を付与されている。
【００５１】
さらに、前記開口保持具本体３の開口縁５の前記蓋体10との軸支位置と対向する他側部には固定摘み部16が一体に突設形成され、この固定摘み部16は前記開口保持具本体３の開口縁５とほぼ同一高さ位置に突設されている。この固定摘み部16の上側に対向して前記拡径開口縁5aに弾性復元力を有するように前記蓋体10に係脱自在に係合される押圧摘み部17が設けられている。そして、この押圧摘み部17は前記蓋体10に係合する先端部は前記固定摘み部16側に弾性復元力を有し、この押圧摘み部を復元力に抗して変形させると前記蓋体10との係合が解かれる。
【００５２】
この押圧摘み部17には前記開口保持具本体３の拡径開口縁5aより内側に突出する係合部19が設けられ、この係合部19は前記蓋体10のヒンジ11に対向する他側部に形成した切り欠き係止部20に係脱自在に係止されるようになっている。
【００５３】
次にこの実施の形態の作用を説明する。
【００５４】
まず、袋状容器１の開口縁２に開口保持具本体３を嵌合するときには、開口保持具本体３の切り溝７にて形成された撓み部６を内方に押し込んで撓ませ、開口保持具本体３の嵌合筒部４の外形形状を小さくし、この外周長が短くなったままの状態で開口保持具本体３の嵌合筒部４を袋状容器１の開口縁５部の内側に嵌合する。
【００５５】
そして、この開口保持具本体３の嵌合筒部４を袋状容器１の開口部に嵌合した状態で、撓み部６の弾性復元力を利用して外方に向かって復元させることにより、開口保持具本体３の嵌合筒部４の外周面は袋状容器１の内面に密着されて開口部に嵌着される。
【００５６】
そして、図８に示すように、蓋体10が開いた状態で、袋状容器１は開口縁５が開口された状態に保持され、袋状容器１には開口部から容易に被収納物を出し入れできる。
【００５７】
また、袋状容器１の開口部に嵌着された開口保持具本体３の嵌合筒部４に形成した突起状の滑り止め部８が袋状容器１の内面に圧着され、開口保持具本体３は袋状容器１から抜け外れることなく、嵌着された状態に保持される。
【００５８】
さらに、この開口保持具本体３はヒンジ11にて蓋体10が開閉自在に取付けられ、この蓋体10は開口保持具本体３の上面開口縁５に設けた押圧摘み部17の係合部19と蓋体10の係止部20との係合で蓋体10は巻きばね15の弾性付勢力に抗して開口保持具本体３の上面開口面を閉塞した状態に保持される。
【００５９】
そして、蓋体10を開くときには、固定摘み部16と押圧摘み部17とを指で挟んで押圧摘み部17を押し下げると、押圧摘み部17は開口保持具本体３の拡径開口縁5aとの連結部の弾性復元力に抗して下方に変形傾斜し、この押圧摘み部17の係合部19は上方に傾斜し、蓋体10の係止部20との係合が解かれ、蓋体10はヒンジ11の巻きばね15の付勢力で軸14を中心として回動し、前記開口保持具本体３の上面開口部は開口される。
【００６０】
また、開いている蓋体10を閉じるときには、蓋体10を巻きばね15に抗して閉じ方向に押し付けると、蓋体10は軸14を中心として回動し、蓋体10の係止部20は押圧摘み部17の係合部19を弾性に抗して押し付け、押圧摘み部17の係合部19は下方に傾斜し、蓋体10の係止部20が押圧摘み部17の係合部19との係合が外れると、押圧摘み部17の係合部19は上方に弾力で復帰し、押圧摘み部17の係合部19は蓋体10の係止部20に係合し、蓋体10は閉じた状態に保持される。
【００６１】
このように、押圧摘み部17の係合部19と蓋体10の係止部20との係脱により蓋体10を開閉でき、袋状容器１の開口部に開口保持具本体３を嵌着することにより、袋状容器１は上面開口部を開口した状態に保持して被収納物の出し入れができるとともに、そのまま蓋体10にて開口部を閉止できる。
【００６２】
なお、前記開口保持具本体３の嵌合筒部４に形成した切り溝７を開口縁５より下側の嵌合筒部４に形成し、この開口保持具本体３を袋状容器１の開口部に嵌合した状態で、袋状容器１に開口保持具本体３を押し込み、切り溝７の部分が袋状容器１にて覆われるようにすることによって袋状容器１の気密性を保持できる。
【００６３】
次に、他の実施の形態を図１０ないし図１２に基づいて説明する。
【００６４】
この実施の形態は、前記実施の形態において、開口保持具本体３は、袋状容器１に嵌合密着される略環状の嵌合筒部４と、この嵌合筒部４の上縁の開口縁５に沿って外方に向って突出された環状縁部25とを有し、蓋体10は、前記開口保持具本体３の環状縁部25に密接する環状突縁部22を形成したものである。
【００６５】
そして、前記開口保持具本体３の環状縁部25の一側部には、この開口保持具本体３の上面開口面を開閉自在に閉塞する円板状の蓋体10を開閉自在に軸支するヒンジ11を配設する凹部23が形成され、この凹部23の両側部が軸14を軸支する支持片13となっている。
【００６６】
また、前記開口保持具本体３の環状縁部25の他側部に形成した凹部24にて固定摘み部16が形成されている。
【００６７】
また、前記蓋体10の環状突縁部22には前記開口保持具本体３の上面開口縁５に嵌合される環状の嵌合突部26を形成し、前記開口保持具本体３の上面開口縁５の内周面と蓋体10の嵌合突部26の外周面との両方、または、前記開口保持具本体３の上面開口縁５の内周面と蓋体10の嵌合突部26の外周面との少なくともいずれか一方には前記開口保持具本体３の上面開口縁５を密閉するパッキン27が貼り付けによって取付けられている。
【００６８】
この実施の形態では、蓋体10は閉塞時に環状突縁部22が開口保持具本体３の環状縁部25に密接されて異物が入りにくくなる。
【００６９】
また、前記蓋体10の開放時には開口保持具本体３の環状縁部25によって収納された被収納物がこぼれにくくなる。
【００７０】
さらに、蓋体10の閉塞時には、開口保持具本体３の開口縁５と蓋体10の嵌合突部26の外周面との間にパッキン27が介在され、開口保持具本体３と蓋体10との位置ずれがなく、開口保持具本体３の開口縁５は蓋体10による密閉性が高められる。
【００７１】
そして、この実施の形態の他の構成は前記図６ないし図９に示す実施の形態と同一で、その作用も同一である。
【００７２】
さらに、他の実施の形態を図１３に基づいて説明する。
【００７３】
この実施の形態は、前記各実施の形態において、開口保持具本体３袋状容器１に嵌合される開口保持具本体３の嵌合筒部４は上面開口面側より下面開口縁側に向って径小に形成し、正面視が略逆三角台形状に形成されている。他の構成は前記図６ないし図９に示す各実施の形態と同一構成とする。
【００７４】
この実施の形態では、開口保持具本体３は、袋状容器１に嵌合される嵌合筒部４は上面開口面側より下面開口縁側に向って径小に形成されているため、下側開口縁側が細くなる略逆三角台形状となり、袋状容器１の上面開口部に容易に差込み嵌合でき、また、袋状容器１の上面開口縁５の内周長さより開口保持具本体３の外周長さが大きくなるように袋状容器１の上面開口縁５の内周長さと開口保持具本体３の外周長さとが多少異なっていても開口保持具本体３を装着できる。そして、他の作用は同一である。
【００７５】
なお、前記各実施の形態において、図６に示すように、開口保持具本体３の周面に設けた撓み部６を形成する切り溝７を必要に応じて形成することができ、この開口保持具本体３の嵌合筒部４の周面に周方向に間隔をもって同一円周上に位置して複数個所、例えば、左右に相対向して形成した二個所に形成する。
【００７６】
そして、開口保持具本体３の嵌合筒部４を両側から指で挟み込むように、切り溝７にて形成された撓み部６を内方に押込んだ状態で袋状容器１の開口部に嵌合し、撓み部６を弾性復元力を利用して外方に向かって復元させることにより、撓み部６が袋状容器１の内面に密着して袋状容器１の開口部に開口保持具本体３を取付けることができ、特に、この撓み部６は、袋状容器１の開口部の面積が開口保持具本体３に比して大きい開口保持具本体３でも、外形形状を大幅に小さくして容易に袋状容器１に嵌着できる。
【００７７】
また、開口保持具本体３は円形環状に限らず、開口保持具本体３の上面開口縁５の形状を略楕円形状に形成し、開口保持具本体３の上面開口縁５にヒンジ11にて取付ける蓋体10も開口保持具本体３の上面開口縁部の形状に合わせた略楕円形状に形成することもできる。
【００７８】
なお、この実施の形態では、撓み部６を形成する切り溝７は、開口保持具本体３の長径側の周面に形成することにより、外形形状を短くでき、容易に袋状容器に収納することができる。
【００７９】
また、図６に示すように、開口保持具本体３の嵌合筒部４には、外周面に突出する環状の突起状の滑り止め部８を各実施の形態において必要に応じて設けることができる。また、この滑り止め部８は外周面の周方向に沿って環状に形成する構成に限らず、開口保持具本体３の外周面の周方向に沿って突設した多数の小突起、網目状の凹凸などの滑り止め部８とすることもできる。
【００８０】
そして、この滑り止め部８により、袋状容器１の開口縁２の内面に開口保持具本体３の嵌合筒部４が圧着され、開口保持具本体３は袋状容器１から抜け外れることがなく、確実に嵌着された状態に保持される。
【００８１】
さらに、他の実施の形態を図１４に基づいて説明する。
【００８２】
前記各実施の形態において、開口保持具本体３の嵌合筒部４の下面開口縁に周方向に間隔をもって複数個所に下方に向かって支持脚部30を延出突設したものである。
【００８３】
この実施の形態では、袋状容器１の開口部に開口保持具本体３の嵌合筒部４を嵌着することにより、袋状容器１内において複数個所の支持脚部30が支えとなって袋状容器１は開口部を上方にした状態に保持でき、袋状容器１を手で支えることなく被収納物を容易に出し入れできる。
【００８４】
また、この支持脚部30をパイプ状に形成し、袋状容器１の支持を安定させることもできる。
【００８５】
また、前記各実施の形態において、開口保持具本体３の上面開口縁５に蓋体10を開閉自在に取付けるヒンジ11は前記構成に限らず、例えば、薄肉ヒンジにて蓋体10を開口保持具本体３と一体に成型することもできる。
【００８６】
なお、開口保持具本体３の嵌合筒部４の高さ寸法は袋状容器１の開口面積などに応じて気密に嵌合できる長さであればよく、例えば５〜50mm程度とする。
【００８７】
【発明の効果】
請求項１記載の発明によれば、袋状容器の開口縁に開口保持具本体を嵌合することにより、蓋体の開口部を開口した状態に保持でき、袋状容器は開口部が開口された状態に保持され、袋状容器に容易に被収納物を出し入れできるようにすることができ、また、開口保持具本体を嵌合した状態で蓋体にて開口部を閉止でき、袋状容器の開口縁に、固定摘み部と押圧摘み部とを挟むように摘むと、押圧摘み部が蓋体との係合が外れ、蓋体は弾性力で開き、開放状態が保持され、収納された内容物の取出しが容易にでき、また、蓋体を閉じると押圧摘み部が蓋体に係合して蓋体の閉塞状態が保持でき、蓋体の開閉が容易にでき、例えば、消毒用のアルコールなどを含浸させた脱脂綿、カーゼなどの容器などに適している。
【００８８】
請求項２記載の発明によれば、蓋体は閉塞時に環状突縁部が開口保持具本体の内周面に密接され、袋状容器内に異物が入りにくく、アルコールなど揮発性液を含浸した清浄綿などを収納した袋状容器においては、アルコールなどが蒸発することを防止できる。
【００８９】
請求項３記載の発明によれば、開口保持具本体は、袋状容器に嵌合される側部は上面開口面側より下面開口縁側に向って径小に形成されているため、下側開口縁側が細い略逆三角台形状となり、袋状容器の上面開口部に容易に差込み嵌合でき、また、袋状容器の上面開口縁が多少異なっていても開口保持具本体を装着できる。
【００９０】
請求項４記載の発明によれば、開口保持具本体の側部の外周面に形成した滑り止め部が袋状容器の内面に圧着され、開口保持具本体は抜け外れることがなく、確実に嵌着された状態に保持される。
【００９１】
請求項５記載の発明によれば、袋状容器の開口縁に開口保持具本体を装着するときには、開口保持具本体は切り溝にて形成された撓み部を内方に撓ませ、開口保持具本体の外形形状を小さくすることにより袋状容器の開口部の内側に容易に嵌合でき、この開口保持具本体を袋状容器の開口部に嵌合した状態で、撓み部を弾性復元力により復元させることにより、開口保持具本体の外周面は袋状容器の内面に密着されて開口部に容易に嵌着できる。
【００９２】
請求項６記載の発明によれば、蓋体は閉塞時に環状突縁部が開口保持具本体の環状縁部に密接され、袋状容器内に異物が入りにくく、アルコールなど揮発性液を含浸した清浄綿などを収納した袋状容器においては、アルコールなどが蒸発することが防止できる。
【００９３】
請求項７記載の発明によれば、蓋体の閉塞時には、開口保持具本体の開口縁と蓋体の嵌合突部の外周面との間にパッキンが介在され、開口保持具本体と蓋体との位置ずれがなく、開口保持具本体の開口縁と蓋体による密閉性が高められ、特に、消毒用のアルコールのような揮発性薬品などを含浸させた脱紙綿、カーゼなどの容器の開口保持具として適している。
【００９４】
請求項８記載の発明によれば、袋状容器の開口部に開口保持具本体を嵌着することにより、複数個所の支持脚部が支えとなって袋状容器は開口部を上方にした状態に保持でき、袋状容器を手で支えることなく被収納物を容易に出し入れできる。
【図面の簡単な説明】
【図１】本発明の袋状容器の蓋付き開口保持具の一実施の形態を示す斜視図である。
【図２】同上開口保持具の蓋体を閉じた状態の縦断側面図である。
【図３】同上一部の拡大縦断側面図である。
【図４】同上開口保持具の蓋体を開いた状態の縦断側面図である。
【図５】同上一部の拡大縦断側面図である。
【図６】本発明の袋状容器の蓋付き開口保持具の他の実施の形態を示す斜視図である。
【図７】同上摘み部の拡大斜視図である。
【図８】同上袋状容器の蓋付き開口保持具を袋状容器に装着した状態を示す斜視図である。
【図９】同上蓋体のヒンジ部の分解斜視図である。
【図１０】本発明の袋状容器の蓋付き開口保持具の他の実施の形態を示す斜視図である。
【図１１】同上蓋体を閉じた状態の摘み部の斜視図である。
【図１２】同上蓋体を開いた状態の斜視図である。
【図１３】本発明の袋状容器の蓋付き開口保持具の他の実施の形態を示す斜視図である。
【図１４】本発明の袋状容器の蓋付き開口保持具の他の実施の形態を示す斜視図である。
【符号の説明】
１    袋状容器
２    袋状容器１の開口縁
３    開口保持具本体
４    開口保持具本体３の嵌合筒部
５    開口縁
６    撓み部
７    切り溝
８    滑り止め部
10    蓋体
16    固定摘み部
17    押圧摘み部
18 変形部
21    環状突縁部
22    環状突縁部
27    パッキン
25    環状縁部
30    支持脚部
【図１】
0004611563.tif 000002
【図２】
0004611563.tif 000003
【図３】
0004611563.tif 000004
【図４】
0004611563.tif 000005
【図５】
0004611563.tif 000006
【図６】
0004611563.tif 000007
【図７】
0004611563.tif 000008
【図８】
0004611563.tif 000009
【図９】
0004611563.tif 000010
【図１０】
0004611563.tif 000011
【図１１】
0004611563.tif 000012
【図１２】
0004611563.tif 000013
【図１３】
0004611563.tif 000014
【図１４】
0004611563.tif 000015